(57)【要約】【課題】    第２のガスを充填した内部バルーンを容器又はバルーンに充填した第１のガス中で長時間萎まずに浮遊させることができるバルーン装置を提供すること。【解決手段】    透明な容器１０（又は透明な外被バルーン）と容器内に収容する内部バルーンとを有する。容器１０内に第２のガスを充填して内部バルーン２０を収容するとともに、容器１０内に第２のガスよりも比重が大きい第１のガスを充填して密閉状態に閉塞する。容器１０は容器本体１１に蓋体１２を被せ止め金具１３によって密閉する。内部バルーン２０にはバランサー２２を設ける。内部バルーン２０は容器１０（又は外被バルーン）中で浮上する。【選択図】    図１
2009089998.tif 000002
【特許請求の範囲】
【請求項１】
透明な容器又は透明な外被バルーンと、該容器又は外被バルーンに収容する内部バルーンとを有し、上記容器又は外被バルーンおよび上記内部バルーン内にガスを充填するものであって、上記容器又は外被バルーンに充填する第１のガスは上記内部バルーンに充填する第２のガスよりも比重が大きいものを選択することにより当該容器又は外被バルーン内で上記内部バルーンを浮上させることを特徴とするバルーン装置。
【請求項２】
容器は、容器本体と蓋体を有し、上記容器本体の開放部に上記蓋体がパッキンを介して装着したものであって、当該容器内に第２のガスを充填した内部バルーンを収容するとともに、上記第２のガスよりも比重が大きい第１のガスを充填して閉塞することを特徴とする請求項１に記載のバルーン装置。
【請求項３】
外被バルーンは、２枚のプラスチックフィルムを重合し、当該外被バルーンの外周部から突出して形成した口部に、逆止弁構造を備えた気体供給弁を設けて適宜形状に溶断したものであって、上記溶断工程の前に第２のガスを充填した内部バルーンを収容し、上記外被バルーン内に上記気体供給弁から上記第２のガスよりも比重が大きい第１のガスを充填することを特徴とする請求項１に記載のバルーン装置。
【請求項４】
外被バルーンは、２枚のプラスチックフィルムを重合し、当該プラスチックフィルムの間に第２のガスを充填した内部バルーンを収容すると共に、上記内部バルーンに充填した第２のガスよりも比重が大きい第１のガスを充填して適宜形状に溶断することを特徴とする請求項１に記載のバルーン装置。
【請求項５】
容器又は外被バルーン内に封入する第１のガスが、空気中では浮上しない内部バルーンを浮上させる比重を有しているものであることを特徴とする請求項１から４のいずれかに記載のバルーン装置。
【発明の詳細な説明】
【技術分野】
【０００１】
本発明は、バルーン装置に関しており、さらに詳しくは、ガスを充填した内部バルーンを容器又は外被バルーン中で浮遊させるバルーン装置に関している。
【背景技術】
【０００２】
バルーンの素材にプラスチックフィルムが使用されるようになってから、各種形状を備えたバルーンが提供されるようになり、また、内部にヘリウムガスを充填して空気中で浮遊させるようにしたバルーンも提供されており、いずれも広く知られたバルーンとなっている。
【０００３】
近年においても、内部にヘリウムガスを充填して空気中で浮遊させるバルーンの開発が行われており、その一例が、下記の文献によって提案されている。
【特許文献１】特開２００４−４１５９１号公報
【特許文献２】特開２００５−１９２８６９号公報
【０００４】
特許文献１に記載のバルーンは、風船本体２（公報の符号であり、以下同じ）の下部にゴンドラ部材４を紐５で連結し、ゴンドラ部材４内にキャラクター人形等の形象物３を収容したものであり、風船本体２が空気中に浮かび面白みが増すというものである。
【０００５】
また、特許文献２に記載のバルーンは、空中を浮遊しながら操作指示に応じて空中を運動するものであって、魚形状空中遊泳体が、頭部１１（公報の符号であり、以下同じ）のバルーン１１１と、胴部１３のバルーン１１３と、尾鰭１５とを備え、これらが連結部３１，３２で連結されていて、胴部１３に搭載した制御用コンプュータの制御により空中を浮遊するものである。
【０００６】
特許文献１及び２に記載されたバルーンは、いずれも興味あるものとして提案されており、技術的に問題となるものはないが、問題点をあげるとすれば、ヘリウムガスは分子が細かいのでバルーンに充填した場合、通常は１〜７日間で抜けてしまいバルーンが長持ちしないという問題があった。
【発明の開示】
【発明が解決しようとする課題】
【０００７】
本発明の課題は、ガスを充填した内部バルーンを容器又は外被バルーン中で長時間萎まずに浮遊させることができるようにしたバルーン装置を提供することである。
【課題を解決するための手段】
【０００８】
解決手段の第１は、透明な容器又は透明な外被バルーンと、該容器又は外被バルーンに収容する内部バルーンとを有し、上記容器又は外被バルーンおよび上記内部バルーン内にガスを充填するものであって、上記容器又は外被バルーンに充填する第１のガスは上記内部バルーンに充填する第２のガスよりも比重が大きいものを選択することにより当該容器又は外被バルーン内で上記内部バルーンを浮上させることを特徴とするものである。
【０００９】
解決手段の第２は、解決手段の第１において、容器が、容器本体と蓋体を有し、上記容器本体の開放部に上記蓋体がパッキンを介して装着したものであって、当該容器内に第２のガスを充填した内部バルーンを収容するとともに、上記第２のガスよりも比重が大きい第１のガスを充填して閉塞することを特徴とするものである。
【００１０】
解決手段の第３は、解決手段の第１において、外被バルーンが、２枚のプラスチックフィルムを重合し、当該外被バルーンの外周部から突出して形成した口部に、逆止弁構造を備えた気体供給弁を設けて適宜形状に溶断したものであって、上記溶断工程の前に第２のガスを充填した内部バルーンを収容し、上記外被バルーン内に上記気体供給弁から上記第２のガスよりも比重が大きい第１のガスを充填することを特徴とするものである。
【００１１】
解決手段の第４は、解決手段の第１において、外被バルーンは、２枚のプラスチックフィルムを重合し、当該プラスチックフィルムの間に第２のガスを充填した内部バルーンを収容すると共に、上記内部バルーンに充填した第２のガスよりも比重が大きい第１のガスを充填して適宜形状に溶断することを特徴とするものである。
【００１２】
解決手段の第５は、解決手段の第１から４のいずれかにおいて、容器又は外被バルーン内に封入する第１のガスが、空気中では浮上しない内部バルーンを浮上させる比重を有しているものであることを特徴とするものである。
【発明の効果】
【００１３】
請求項１は、容器又は外被バルーンに、第２のガスを充填した内部バルーンを収容するとともに、内部バルーンに充填した第２のガスよりも比重が大きい第１のガスを充填したものであるから、内部バルーンを容器又は外被バルーン中で浮遊させることができるものであって、大気中では浮上しないものを浮上させることができ興味あるバルーンが得られる効果を奏するものである。また、内部バルーンに充填する第２のガスが、例えば空気であれば、ヘリウムガスを充填したものに比べてガス漏れ現象がなく、長期間萎まずに浮遊させることが可能となるものである。
【００１４】
請求項２は、容器が、容器本体と蓋体を有しており、両者はパッキンを介して密閉されているから、容器内に収容する内部バルーンを交換して楽しむことができるものとなっている。
【００１５】
請求項３は、外被バルーンが、２枚のプラスチックフィルムを重合して適宜形状に溶断し、気体供給弁を設けたものであるから、各種形状を有するものが得られるだけでなく、気体供給弁を使用して内部にガスを充填できるから、バルーンを予め製造しておく必要がなく管理または保管が容易なものとなる。
【００１６】
請求項４は、外被バルーンが、２枚のプラスチックフィルムを重合し、該プラスチックフィルムの間に第２のガスを充填した内部バルーンを収容するとともに、上記内部バルーンに充填した第２のガスよりも比重が大きい第１のガスを充填して適宜形状に溶断したものであるから、商品として完成品を提供でき、店頭でバルーンを膨らませる作業が省略できるものである。
【００１７】
請求項５は、容器又は外被バルーン内に充填する第１のガスが、空気中では浮上しない内部バルーンを浮上させる比重を有しているものであるから、興味あるバルーンが得られる効果がある。
【発明を実施するための最良の形態】
【００１８】
図１は本発明に係るバルーン装置を示す斜視図、図２は容器内に収容する内部バルーンを示す斜視図、図３は他の実施形態によるバルーン装置を示す斜視図である。
【００１９】
第１実施例
図１，図２は第１実施例を示しており、透明容器に内部バルーンが収容されているものである。図において、１０は容器を示しており、好ましくは透明な容器である。２０は容器１０内に収容した内部バルーンである。
【００２０】
実施形態における容器１０は、透明なアクリル樹脂製がよく、有底な容器本体１１と蓋体１２とからなり、容器本体１１の開放部に、蓋体１２がパッキン（図示しない）を介して装着されており、該蓋体１２は止め金具１３によって密封状態を維持して閉塞されるものである。また、上記内部バルーン２０は、２枚のプラスチックフィルム材を重合し、口部２１を残して円形に溶断したものであり、上記口部２１からバルーン内部に第２のガスを充填した後当該口部を溶接したものである。２２は内部バルーン２０に設けたバランサーであり、内部バルーン２０を容器１０内に収容した時に当該内部バルーンの姿勢を安定よく維持するためのものである。
【００２１】
実施形態において、内部バルーン２０は、２枚のプラスチックフィルム材を重合して円形に溶断したものであるが、本明細書で「溶断」とは、溶接をした溶接ラインから切断することであって、溶接代を残さないように形成することにより、内部バルーンを膨らませた時に溶接部分に皺が出ない継ぎ目が得られるようにしたものである（実公昭６３−３４７１１号公報３欄〈実施例〉の項の説明を参照）。
【００２２】
第１実施例のバルーン装置を実施するには、内部バルーン２０に第２のガスを充填してから容器本体１１に収容する。次いで、容器本体１１に、内部バルーン２０に充填した第２のガスよりも比重が大きい第１のガスを充填して蓋体１２を被せ、止め金具１３によって当該蓋体１２密閉する。これにより、内部バルーン２０は充填された第２のガスが容器１０に充填した第１のガスよりも比重が小さいので、当該内部バルーン２０が容器本体１１内で浮遊する。また、内部バルーン２０にはバランサー２２が設けられているから、容器１０内に収容された時、内部バルーン２０は安定した姿勢を維持して収容される。
【００２３】
第２実施例
図３は第２実施例を示しており、外被バルーンに内部バルーンが収容されているものである。図において、外被バルーン３０は、内部バルーン２０と同様に、２枚のプラスチックフィルム材を重合し、当該外被バルーン３０の外周部から突出して形成した口部３１に逆止弁構造を備えた気体供給弁３２を設けて適宜形状、好ましくは円形形状に溶断したものである。なお、気体供給弁３２は、先端を外被バルーン３０内に挿入し、基端を当該バルーンから突出して設けたものである。
【００２４】
外被バルーン３０は、２枚のプラスチックフィルム材の間に第２のガスを充填した内部バルーン２０を収容し、口部３１に気体供給弁３２を設けて円形形状に溶断し、気体供給弁３２から第２のガスを充填したものである。
【００２５】
ただし、口部３１に気体供給弁３２を設けずに、内部バルーン２０の場合と同じように外被バルーン１０内に第１のガスを充填した後、口部３１を溶接して当該部分を密閉状態に維持して閉塞することができる。
【００２６】
実験例
容器１０は、透明のアクリル樹脂製を使用した円筒であり、容器の直径９５０ｍｍ、高さ１２０ｍｍ。
内部バルーン２０は、ＯＨフィルムを使用し、厚さ２１ミクロン、直径１００ｍｍの円形形状。
外被バルー３０は、ＯＨフィルムを使用し、厚さ２１ミクロン、直径２３５ｍｍの円形形状。
容器又は外被バルーンに充填する第１のガスは、六フッ化硫黄であり、空気に対する比重は５．１１である。
内部バルーンに充填する第２のガスは、空気である。
【００２７】
本発明のバルーン装置は、容器又は外被バルーン内に第２のガスを充填した内部バルーンを収容するとともに、容器又は外被バルーンに第２のガスよりも比重が大きい第１のガスを選択して充填したものであるから、内部バルーンを容器又はバルーン内で浮遊させることができるものである。
【図面の簡単な説明】
【００２８】
【図１】本発明に係るバルーン装置を示す斜視図。
【図２】図２は容器内に収容する内部バルーンを示す斜視図。
【図３】他の実施形態によるバルーン装置を示す斜視図。
【符号の説明】
【００２９】
１０  容器
１１  容器本体
１２  蓋体
１３  止め金具
２０  内部バルーン
２１  口部
２２  バランサー
３０  外被バルーン
３１  口部
３２  気体供給弁
【図１】
2009089998.tif 000003
【図２】
2009089998.tif 000004
【図３】
2009089998.tif 000005